(57)【要約】【課題】複数の原稿シートから特定の原稿シートを振り分ける際に、使用者の作業負担を軽減すること。【解決手段】画像読取装置１では、年賀はがきＧを読み取り、取得された読取画像データから抽出した抽選番号をＲＡＭに記憶された当選番号と比較する。そして、抽選番号と当選番号が一致する場合（Ｓ２６：ＹＥＳ）、年賀はがきＧを第５経過時間に亘って搬送させ、排紙トレイに排紙した後に、給紙トレイに年賀はがきＧが有るか否かを確認する（Ｓ４０）前に、年賀はがきＧの搬送を停止させる（Ｓ３８）。【選択図】図４
2015050567.tif 000002
【特許請求の範囲】
【請求項１】
複数枚の原稿シートを載置可能な供給トレイと、
前記供給トレイに載置された原稿シートの有無を検出するセンサと、
排出トレイと、
前記供給トレイに載置された原稿シートを搬送し、前記排出トレイに排出する搬送部と、
前記搬送部によって搬送される原稿シートを所定位置で読み取る読取部と、
記憶部と、
制御部と、
を備え、
前記制御部は、
前記センサの検出結果を取得する取得処理と、
前記検出結果が、前記供給トレイに原稿シートが有ることを示す結果である場合に、前記搬送部に前記供給トレイに載置された前記原稿シートを搬送させる搬送処理と、
前記搬送処理によって前記所定位置に到達した前記原稿シートを前記読取部に読み取らせる読取処理と、
前記読取処理によって読み取られた読取結果の一部が、前記記憶部に記憶された特定データと一致する場合、前記原稿シートを前記排出トレイに排出した後、前記検出結果に関わらず、前記搬送処理を停止させる搬送停止処理と、
を実行可能に構成された、画像読取装置。
【請求項２】
請求項１に記載の画像読取装置であって、
前記制御部は、
前記搬送処理において、前記原稿シートを前記排紙トレイの第１規定排出位置まで搬送させて前記排出トレイに排出し、
前記搬送停止処理において、前記原稿シートを前記第１規定排出位置と異なる前記排紙トレイの第２規定排出位置まで搬送させて前記搬送処理を停止させる、
画像読取装置。
【請求項３】
請求項２に記載の画像読取装置であって、
前記制御部は、
前記搬送停止処理において、前記搬送部を前記搬送処理と異なる搬送速度で搬送させて、前記原稿シートを前記第１規定排出位置と異なる前記排紙トレイの第２規定排出位置まで搬送させる、
画像読取装置。
【請求項４】
請求項１から請求項３のいずれか一項に記載の画像読取装置であって、
更に、
表示部と、
操作部と、
を備え、
前記制御部は、
更に、
前記表示部に対して、前記搬送停止処理に係る前記原稿シートを取り除くように表示させる表示処理と、
前記操作部が取除完了命令を受信後に、前記搬送部に原稿シートの搬送を再開させる搬送再開処理と、
を実行する、画像読取装置。
【請求項５】
複数枚の原稿シートを載置可能な供給トレイと、
第１排出トレイと、
第２排出トレイと、
前記供給トレイに載置された原稿シートを搬送する搬送部と、
前記搬送部によって搬送される原稿シートを所定位置で読み取る読取部と、
前記読取部によって読み取られた原稿シートを、前記第１排出トレイと前記第２排出トレイのいずれの排出トレイに排出するかを切り替える排出トレイ切替部と、
記憶部と、
制御部と、
を備え、
前記制御部は、
前記搬送部に搬送を指示し、前記所定位置に到達した原稿シートを前記読取部に読み取らせる読取処理と、
前記読取処理によって読み取られた読取結果の一部が、前記記憶部に記憶された特定データと一致しない場合、前記原稿シートを前記第１排出トレイに排出され、前記読取結果の一部が前記特定データと一致する場合、前記原稿シートを前記第２排出トレイに排出されるように前記排出トレイ切替部を切り替える搬送切替処理と、
を実行可能に構成された、画像読取装置。
【請求項６】
請求項１から請求項５のいずれか一項に記載の画像読取装置であって、
前記搬送部は、一の原稿シートを搬送し、前記制御部により当該原稿シートに係る前記読取結果の一部が前記特定データと一致するか否かが判断された後に、次の原稿シートの搬送を開始する、画像読取装置。
【請求項７】
請求項１から請求項６のいずれか一項に記載の画像読取装置であって、
前記原稿シートは、くじ付きはがきであり、
前記読取結果は、前記画像データから再現される画像に含まれる文字をテキストデータに変換したものであり、
前記特定データは、前記くじ付きはがきの当選番号を示すテキストデータである、画像読取装置。
【請求項８】
請求項１から請求項６のいずれか一項に記載の画像読取装置であって、
前記原稿シートは、郵便はがきであり、
前記読取結果は、前記画像データから再現される画像に含まれる文字をテキストデータに変換したものであり、
前記特定データは、前記郵便はがきの受取人の情報を示す受取人情報である、画像読取装置。
【発明の詳細な説明】
【技術分野】
【０００１】
本明細書によって開示される発明は、原稿シートの画像を読み取る画像読取装置に関する。
【背景技術】
【０００２】
従来から、年賀はがきや暑中見舞いはがきなど、抽選番号が付されたはがき、いわゆる「くじ付きはがき」が販売されており、くじ付きはがきの受信者がくじ付きはがきの当選の確認に用いるシステムが提案されている（例えば、特許文献１）。このシステムでは、くじ付きはがきを読み取った画像データの抽選番号を格納し、あらかじめ当該システムに与えておいた当選番号に合致する抽選番号を有する当選はがきを抽出して一覧表示する。これにより、くじ付きはがきの受信者、つまり、システムの使用者は、複数のくじ付きはがきを受信した場合に、受信したくじ付きはがきの中に当選はがきが有るか否かを確認することができる。
【先行技術文献】
【特許文献】
【０００３】
【特許文献１】特開２００３−１６１１１号公報
【発明の概要】
【発明が解決しようとする課題】
【０００４】
当選はがきによって景品の供与を受ける際には、複数のくじ付きはがきの中から当選はがきを取り出す必要がある。しかし、上記のシステムでは、当選はがきを取り出す技術について何ら記載されていない。そのため、従来のように、複数のくじ付きはがきが、当選はがきの有無に関わらず同一の様態で排出されると、使用者は、当選はがきを取り出す際に、目視で当選はがきを確認して振り分ける必要があり、振り分けに必要な作業負担が大きくなるという問題点があった。同様の問題が、複数の宝くじから当選くじを振り分ける場合や、事務所や家庭など、複数の受信者が存在する住所に送信された複数のはがきから特定の受信者宛てのはがきを振り分ける場合など、複数の原稿シートから特定の情報を有する特定の原稿シートを振り分ける際に生じる。
【０００５】
本明細書では、複数の原稿シートから特定の原稿シートを振り分ける際に、使用者の作業負担を軽減する技術を開示する。
【課題を解決するための手段】
【０００６】
本明細書によって開示される画像読取装置は、複数枚の原稿シートを載置可能な供給トレイと、前記供給トレイに載置された原稿シートの有無を検出するセンサと、排出トレイと、前記供給トレイに載置された原稿シートを搬送し、前記排出トレイに排出する搬送部と、前記搬送部によって搬送される原稿シートを所定位置で読み取る読取部と、記憶部と、制御部と、を備え、前記制御部は、前記センサの検出結果を取得する取得処理と、前記検出結果が、前記供給トレイに原稿シートが有ることを示す結果である場合に、前記搬送部に前記供給トレイに載置された前記原稿シートを搬送させる搬送処理と、前記搬送処理によって前記所定位置に到達した前記原稿シートを前記読取部に読み取らせる読取処理と、前記読取処理によって読み取られた読取結果の一部が、前記記憶部に記憶された特定データと一致する場合、前記原稿シートを前記排出トレイに排出した後、前記検出結果に関わらず、前記搬送処理を停止させる搬送停止処理と、を実行可能に構成されている。
【０００７】
この画像読取装置では、原稿シートを読み取って生成された読取結果を特定データと比べる。そして、読取結果の一部が特定データと一致する場合に、検出結果に関わらず、つまり、供給トレイに原稿シートが有る場合にも原稿シートの搬送を停止させる。そのため、この装置の使用者は、複数の原稿シートを搬送して読み取る際に、搬送停止時の原稿シートの様態、例えば、原稿シートが排出トレイに最後に排出されたことなどを利用して、特定データに対応する画像が含まれている原稿シートを振り分けることができ、作業負担が軽減される。
【０００８】
また、上記の画像読取装置では、前記制御部は、前記搬送処理において、前記原稿シートを前記排紙トレイの第１規定排出位置まで搬送させて前記排出トレイに排出し、前記搬送停止処理において、前記原稿シートを前記第１規定排出位置と異なる前記排紙トレイの第２規定排出位置まで搬送させて前記搬送処理を停止させる構成としても良い。
【０００９】
この画像読取装置では、読取結果の一部が特定データと一致する原稿シートを排出する際に、読取結果の一部が特定データと一致しない原稿シートが排出される位置と異なる位置に当該原稿シートを排出する。そのため、使用者は、搬送停止時の原稿シートの位置の違いから、特定データに対応する画像が含まれている原稿シートを振り分けることができる。
【００１０】
また、上記の画像読取装置では、前記制御部は、前記搬送停止処理において、前記搬送部を前記搬送処理と異なる搬送速度で搬送させて、前記原稿シートを前記第１規定排出位置と異なる前記排紙トレイの第２規定排出位置まで搬送させる構成としても良い。
【００１１】
この画像読取装置では、読取結果の一部が特定データと一致する原稿シートと、特定データと一致しない原稿シートとを排出トレイの異なる位置に排出する際に、搬送部における搬送速度を変化させる。そのため、これらの原稿シートの排出位置を比較的簡単に異ならせることができる。
【００１２】
また、上記の画像読取装置では、更に、表示部と、操作部と、を備え、前記制御部は、更に、前記表示部に対して、前記搬送停止処理に係る前記原稿シートを取り除くように表示させる表示処理と、前記操作部が取除完了命令を受信後に、前記搬送部に原稿シートの搬送を再開させる搬送再開処理と、を実行する構成としても良い。
【００１３】
この画像読取装置では、原稿シートの搬送停止後に、表示部に原稿シートの取り除き指示を表示し、特定データに対応する画像が含まれている原稿シートの取り除きを促す。そして、これに応じて使用者が当該原稿シートを取り除き、操作部を介して使用者から取り除き完了命令が受信されると、原稿シートの搬送を再開する。これにより、複数の原稿シートを読み取る際に、複数の原稿シートの全てに対して原稿シートの読み取りを完了させることができる。
【００１４】
また、本明細書によって開示される画像読取装置は、複数枚の原稿シートを載置可能な供給トレイと、第１排出トレイと、第２排出トレイと、前記供給トレイに載置された原稿シートを搬送する搬送部と、前記搬送部によって搬送される原稿シートを所定位置で読み取る読取部と、前記読取部によって読み取られた原稿シートを、前記第１排出トレイと前記第２排出トレイのいずれの排出トレイに排出するかを切り替える排出トレイ切替部と、記憶部と、制御部と、を備え、前記制御部は、前記搬送部に搬送を指示し、前記所定位置に到達した原稿シートを前記読取部に読み取らせる読取処理と、前記読取処理によって読み取られた読取結果の一部が、前記記憶部に記憶された特定データと一致しない場合、前記原稿シートを前記第１排出トレイに排出され、前記読取結果の一部が前記特定データと一致する場合、前記原稿シートを前記第２排出トレイに排出されるように前記排出トレイ切替部を切り替える搬送切替処理と、を実行可能に構成されていても良い。
【００１５】
この画像読取装置では、原稿シートを読み取って生成された読取結果を特定データと比べる。そして、読取結果の一部が特定データと一致するか否かによって、原稿シートの排出トレイを切り替える。そのため、使用者は、原稿シートが排出された排出トレイから、特定データに対応する画像が含まれている原稿シートを振り分けることができ、作業負担が軽減される。
【００１６】
また、上記の画像読取装置では、前記搬送部は、一の原稿シートを搬送し、前記制御部により当該原稿シートに係る前記読取結果の一部が前記特定データと一致するか否かが判断された後に、次の原稿シートの搬送を開始する構成としても良い。
【００１７】
この画像読取装置によれば、複数の原稿シートが所定のシート間距離で連続して搬送される構成を有していない装置においても、原稿シートを振り分けることができことができる。
【００１８】
また、上記の画像読取装置では、前記原稿シートは、くじ付きはがきであり、前記読取結果は、前記画像データから再現される画像に含まれる文字をテキストデータに変換したものであり、前記特定データは、前記くじ付きはがきの当選番号を示すテキストデータである構成としても良い。
【００１９】
この画像読取装置によれば、複数のくじ付きはがきを受信した受信者が当選はがきを振り分ける際の作業負担を軽減することができる。
【００２０】
また、上記の画像読取装置では、前記原稿シートは、郵便はがきであり、前記読取結果は、前記画像データから再現される画像に含まれる文字をテキストデータに変換したものであり、前記特定データは、前記郵便はがきの受取人の情報を示す受取人情報である構成としても良い。
【００２１】
この画像読取装置によれば、複数の郵便はがきから特定の受取人宛ての郵便はがきを取り出す際の作業負担を軽減することができる。
【発明の効果】
【００２２】
本明細書によれば、複数の原稿シートから特定の原稿シートを振り分ける際に、使用者の作業負担を軽減することができる。
【図面の簡単な説明】
【００２３】
【図１Ａ】実施形態１の画像読取装置の概略的な断面図
【図１Ｂ】実施形態１の画像読取装置の排紙トレイにおける拡大図
【図２】画像読取装置の電気的構成を概略的に示すブロック図
【図３】実施形態１の画像読取処理を示すフローチャート
【図４】実施形態１の画像読取処理を示すフローチャート
【図５】実施形態２の画像読取装置の概略的な断面図
【図６】実施形態２の画像読取処理を示すフローチャート
【図７】実施形態２の画像読取処理を示すフローチャート
【発明を実施するための形態】
【００２４】
＜実施形態１＞
実施形態１を、図１Ａから図４を用いて説明する。
【００２５】
１．画像読取装置の機械的構成
図１Ａに示すように、画像読取装置１は、給紙トレイ２と、本体部３と、排紙トレイ４と、を含む。画像読取装置１は、使用者からの読取指示により給紙トレイ２に載置された複数枚の原稿シートＧを排紙トレイ４に搬送するとともに、搬送中の原稿シートＧを本体部３に含まれる読取部２４、２５を用いて読み取るシートフィードスキャナである。給紙トレイ２は、供給トレイの一例であり、排紙トレイ４は排出トレイの一例である。
【００２６】
本体部３には、給紙トレイ２と排紙トレイ４を接続する搬送経路２２が設けられており、この搬送経路２２の周辺に、給紙ローラ２０と、分離パッド２１と、搬送ローラ２３と、読取部２４、２５と、フロントセンサ（以下、Ｆセンサ）２６と、リアセンサ（以下、Ｒセンサ）２７等を備える。Ｆセンサは、センサの一例である。
【００２７】
給紙ローラ２０は、給紙トレイ２に載置された原稿シートＧに当接し、摩擦力により、給紙トレイ２に載置された複数枚の原稿シートＧを本体部３の内部へと引き込む。分離パッド２１は、摩擦力により、複数枚の原稿シートＧを各原稿シートＧに分離する。給紙トレイ２に載置された複数枚の原稿シートＧは、これらによって、１枚の原稿シートＧに分離されて本体部３の内部へと引き込まれる。
【００２８】
搬送ローラ２３は、駆動モータＭ１（図２参照）により駆動され、本体部３の内部へと引き込まれた原稿シートＧを搬送経路２２上に搬送する。搬送経路２２上を原稿シートＧが搬送される方向を搬送方向Ｄ１と称す。読取部２４、２５は、搬送ローラ２３によって搬送経路２２内を搬送される原稿シートＧを読み取る。
【００２９】
また、搬送ローラ２３は、搬送経路２２上に搬送された原稿シートＧを排紙トレイ４に排紙する。つまり、給紙ローラ２０と搬送ローラ２３とによって、給紙トレイ２に載置された原稿シートＧを搬送し、排紙トレイ４に排紙する搬送部２８（図２参照）が形成されている。
【００３０】
なお、本実施形態において「排紙」とは、搬送経路２２上に搬送された原稿シートＧの搬送方向Ｄ１先端が、排紙トレイ４側に飛び出しており、排紙トレイ４側から当該原稿シートＧを取り出し可能な状態となっている状態を意味する。そのため、図１Ｂに拡大して示すように、原稿シートＧの搬送方向Ｄ１先端が排紙トレイ４側に飛び出しており、原稿シートＧの搬送方向Ｄ１後端が搬送経路２２内に残っている特定排出位置Ｌ５の原稿シートＧも、排紙された原稿シートＧに含まれる。
【００３１】
第１読取部２４は、搬送経路２２に沿って下側に配置され、搬送経路２２に沿って搬送される原稿シートＧの下面を、第１読取位置Ｌ１で読み取る。第２読取部２５は、搬送経路２２に沿って上側に配置され、搬送経路２２に沿って搬送される原稿シートＧの上面を、搬送方向Ｄ１における第１読取位置Ｌ１の下流側の第２読取位置Ｌ２で読み取る。第１読取位置Ｌ１及び第２読取位置Ｌ２は、所定位置の一例である。
【００３２】
Ｆセンサ２６は、給紙トレイ２に配置され、給紙トレイ２に原稿シートＧが載置された場合にオンし、給紙トレイ２に原稿シートＧが載置されていない場合にオフするように設定されている。つまり、給紙トレイ２に載置された原稿シートＧの有無を検出する。Ｒセンサ２７は、搬送経路２２上の読取部２４、２５よりも上流側の検出位置Ｌ３に配置され、原稿シートＧが検出位置Ｌ３を通過している場合にオンし、検出位置Ｌ３を通過していない場合にオフするように設定されている。
【００３３】
また、本体部３には、この他に、タッチパネル３０を含む。タッチパネル３０は、例えば、液晶表示部（ＬＣＤ）を含み、画像読取装置１の状況を表示する。この場合、タッチパネル３０は表示部６（図２参照）として機能する。また、タッチパネル３０には、各種ボタンが表示されており、使用者からの各種命令を受け付ける。この場合、タッチパネル３０は操作部５（図２参照）として機能する。
【００３４】
２．画像読取装置の電気的構成
図２に示すように、画像読取装置１は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２９と、ＲＯＭ３３と、ＲＡＭ３４と、を備え、これらに通信部３６等が接続されている。図２に実線３５で示すように、ＡＳＩＣ２９と、ＲＯＭ３３と、ＲＡＭ３４とを含めたものが、制御部の一例である。そのうち、ＲＯＭ３３と、ＲＡＭ３４とを含めたものが、記憶部の一例である。
【００３５】
ＡＳＩＣ２９は、ＣＰＵ３１を含む他、画像処理回路３２等の専用のハード回路を含む。ＲＯＭ３３には、画像読取装置１の動作を制御するための各種のプログラムが記憶されており、ＣＰＵ３１は、ＲＯＭ３３から読み出したプログラムに従って各部の制御を行うとともに、必要に応じてハード回路を用いて後述する画像読取処理等の処理を実行する。
【００３６】
読取部２４、２５は、ＣＰＵ３１からの命令に基づいて原稿シートＧを読み取り、読取画像データを取得する。読取部２４、２５が取得した読取画像データは、デジタル信号の読取画像データに変換されてＲＡＭ３４に記憶される。
【００３７】
画像処理回路３２は、ＲＡＭ３４に記憶された読取画像データに対して、２値化処理やエンハンス処理等のエッジ検出処理を行う。また、画像処理回路３２は、ＲＡＭ３４に記憶された読取画像データから再現される画像に含まれる文字をテキストデータに変換するＯＣＲ変換処理を行う。
【００３８】
通信部３６は、図示されないネットワーク回線に接続されており、外部装置に対して読取画像データの送信を行う他、図示されない通信回線に接続されており、インターネットのＷｅｂサイトにアクセスして、必要な情報を取得する。
【００３９】
３．画像読取処理
次に、図３、４を参照して、原稿シートＧの画像読取処理について説明する。本実施形態では、原稿シートＧとして、「くじ付きはがき」の一例である年賀はがきＧの複数枚を搬送しながら読み取る場合について説明する。本実施形態の画像読取処理では、複数枚の年賀はがきＧを連続して読み取り、これらの年賀はがきＧの読取画像データを取得するとともに、取得された読取画像データから、これらの年賀はがきＧの中に当選番号が記された当選はがきＴＧが有るか否かを判定する処理を併せて行う。ＣＰＵ３１は、タッチパネル３０を介して使用者から読取指示が入力されると、処理を開始する。
【００４０】
ＣＰＵ３１は、処理を開始すると、まず、Ｆセンサ２６を用いて給紙トレイ２に年賀はがきＧが載置されているか否かを判断する（Ｓ２）。ＣＰＵ３１は、Ｆセンサ２６の状態を確認し、Ｆセンサ２６がオフしている場合（Ｓ２：ＮＯ）、タッチパネル３０を用いて、年賀はがきＧがないので当選番号の判定ができなかった旨の表示を行い（Ｓ４）、画像読取処理を終了する。
【００４１】
その一方、Ｆセンサ２６がオンしており、給紙トレイ２に年賀はがきＧが載置されていることが確認されると（Ｓ２：ＹＥＳ）、ＣＰＵ３１は、ＲＡＭ３４に年賀はがきＧの当選番号を示すテキストデータである当選番号データが記憶されているか否かを確認する（Ｓ６）。ＣＰＵ３１は、ＲＡＭ３４に当選番号データが記憶されていない場合（Ｓ６：ＮＯ）、日本郵政のＷｅｂサイトにアクセスして、当選番号データを取得し、ＲＡＭ３４に記憶する（Ｓ８）。
【００４２】
ＣＰＵ３１は、ＲＡＭ３４に当選番号データが記憶されていることが確認されると、搬送部２８に対して年賀はがきＧの搬送を指示し（Ｓ１０）、搬送部２８に給紙トレイ２に載置されている年賀はがきＧを１枚搬送させる（Ｓ１２）。
【００４３】
ＣＰＵ３１は、年賀はがきＧの搬送を開始すると、Ｒセンサ２７がオンするのを待機する。そして、Ｒセンサ２７がオンすると、ＣＰＵ３１は、更に、年賀はがきＧが搬送経路２２上を検出位置Ｌ３から第１読取位置Ｌ１まで搬送されるのに必要な時間である第１経過時間が経過するのを待機する（Ｓ１４：ＮＯ）。ＣＰＵ３１は、第１経過時間が経過すると（Ｓ１４：ＹＥＳ）、年賀はがきＧの読み取りを開始し、第１読取部２４に対して読み取りを指示する（Ｓ１５）。
【００４４】
また、ＣＰＵ３１は、Ｒセンサ２７がオンしてから、年賀はがきＧが搬送経路２２上を検出位置Ｌ３から第２読取位置Ｌ２まで搬送されるのに必要な時間である第３経過時間が経過するのを待機する（Ｓ１６：ＮＯ）。ＣＰＵ３１は、第２経過時間が経過すると（Ｓ１６：ＹＥＳ）、年賀はがきＧの読み取りを開始し、第２読取部２５に対して読み取りを指示する（Ｓ１７）。ＣＰＵ３１は、各読取部２４、２５に対して、年賀はがきＧの読み取りを開始してから、年賀はがきＧが対応する読取位置Ｌ１、Ｌ２を通過するのに必要な時間である第３経過時間が経過するまで（Ｓ１８：ＮＯ）、年賀はがきＧを読み取らせる。そして、ＣＰＵ３１は、第３経過時間が経過すると（Ｓ１８：ＹＥＳ）、各読取部２４、２５に対して読取終了を指示する。これによって、搬送経路２２において第１読取部２４よりも搬送方向Ｄ１下流側に配置された第２読取部が読み取りを終了すると、年賀はがきＧの読み取りを終了する（Ｓ２０）。
【００４５】
ＣＰＵ３１は、年賀はがきＧの読み取りを終了すると、画像処理回路３２を用いて、読取部２４、２５が取得した読取画像データに対してＯＣＲ変換処理を行う（Ｓ２２）。ＣＰＵ３１は、変換されたテキストデータから抽選番号を抽出し、抽出した抽選番号と、ＲＡＭ３４に記憶された当選番号データに含まれる当選番号とを比較する（Ｓ２４）。抽出した抽選番号は、読取結果の一部の一例である。
【００４６】
ＣＰＵ３１は、抽選番号と当選番号とが一致しない場合（Ｓ２６：ＮＯ）、搬送部２８に対して、年賀はがきＧの読み取りを終了してから、つまり、年賀はがきＧが第２読取位置Ｌ２を通過してから排紙トレイ４の規定排出位置Ｌ４（図１Ｂ参照）に排紙されるのに必要な時間である第４経過時間が経過するまで、当選番号と一致しないと判断された年賀はがきＧ（以下、単に年賀はがきＧ）の搬送を継続させる（Ｓ２８：ＮＯ）。第２経過時間及び第４経過時間に年賀はがきＧが搬送される距離は、第１搬送距離の一例である。
【００４７】
ＣＰＵ３１は、年賀はがきＧが第４経過時間に渡って搬送され、年賀はがきＧが排紙トレイ４の規定排出位置Ｌ４に排紙されると（Ｓ２８：ＹＥＳ）、Ｆセンサ２６を用いて給紙トレイ２に年賀はがきＧが残存しているかを判断する（Ｓ３０）。そして、給紙トレイ２に年賀はがきＧが残存している場合（Ｓ３０：ＹＥＳ）、Ｓ１２からの処理を繰り返し、次の年賀はがきＧを１枚搬送させる。
【００４８】
その一方、ＣＰＵ３１は、給紙トレイ２に年賀はがきＧが残存してない場合（Ｓ３０：ＮＯ）、搬送部２８に対して年賀はがきＧの搬送停止を指示する（Ｓ３２）。ＣＰＵ３１は、タッチパネル３０を用いて、年賀はがきＧの当選番号の判定が終了した旨の表示を行い（Ｓ３４）、画像読取処理を終了する。
【００４９】
また、ＣＰＵ３１は、抽選番号と当選番号とが一致する場合（Ｓ２６：ＹＥＳ）、搬送部２８に対して、年賀はがきＧが第２読取位置を通過してから排紙トレイの規定排出位置Ｌ４と異なる特定排出位置Ｌ５（図１Ｂ参照）に排紙されるのに必要な時間である第５経過時間が経過するまで、当選はがきＴＧの搬送を継続させる（Ｓ３６：ＮＯ）。第２経過時間及び第５経過時間に年賀はがきＧが搬送される距離は、第２搬送距離の一例である。
【００５０】
図１Ｂに示すように、特定排出位置Ｌ５は、規定排出位置Ｌ４よりも本体部３側の位置に設定されており、年賀はがきＧが特定排出位置Ｌ５に排紙されると、年賀はがきＧの搬送方向Ｄ１先端は排紙トレイ４に到達している一方、搬送方向Ｄ１後端は排紙トレイ４に到達しておらず、搬送経路２２内に残っている。ＣＰＵ３１は、年賀はがきＧを特定排出位置Ｌ５に排紙する際に、年賀はがきＧを規定排出位置Ｌ４に排紙する場合に比べて、搬送ローラ２３の回転速度を低下させることで、排紙トレイ４における排出位置を変化させている。
【００５１】
ＣＰＵ３１は、当選はがきＴＧが第５経過時間に渡って搬送され、当選はがきＴＧが排紙トレイ４の特定排出位置Ｌ５に排紙されると（Ｓ３６：ＹＥＳ）、Ｆセンサ２６を用いて給紙トレイ２に年賀はがきＧが残存しているかを判断するに先立って、搬送部２８に対して年賀はがきＧの搬送停止を指示する（Ｓ３８）。その後、ＣＰＵ３１は、Ｆセンサ２６を用いて給紙トレイ２に年賀はがきＧが残存しているかを判断し（Ｓ４０）、給紙トレイ２に年賀はがきＧが残存していない場合（Ｓ４０：ＮＯ）、タッチパネル３０を用いて、当選はがきＴＧの当選番号とその等級を表示する（Ｓ４２）。また、ＣＰＵ３１は、年賀はがきＧの当選番号の判定が終了した旨の表示を行い（Ｓ３４）、画像読取処理を終了する。
【００５２】
その一方、ＣＰＵ３１は、給紙トレイ２に年賀はがきＧが残存している場合（Ｓ４０：ＹＥＳ）、タッチパネル３０を用いて、当選はがきＴＧの当選番号とその等級を表示する。更に、ＣＰＵ３１は、タッチパネル３０を用いて、給紙トレイ２から当選はがきＴＧを取り除く旨、及び、次の年賀はがきＧの搬送を再開してよい時は継続ボタンを押す旨の表示を行う（Ｓ４４）。継続ボタンはタッチパネル３０に表示されており、ＣＰＵ３１は、使用者によってタッチパネル３０の継続ボタンが押されるのを待機する（Ｓ４６：ＮＯ）。そして、使用者によって継続ボタンが押されると（Ｓ４６：ＹＥＳ）、搬送部２８に対して年賀はがきＧの搬送再開を指示し（Ｓ１０）、次の年賀はがきＧを１枚搬送させる（Ｓ１２）。
【００５３】
４．本実施形態の効果
（１）本実施形態の画像読取装置１では、年賀はがきＧを読み取って取得された読取画像データから抽選番号を抽出し、抽出した抽選番号と、ＲＡＭ３４に記憶された当選番号とを比較する。そして、抽選番号と当選番号とが一致する当選はがきＴＧであると判断された場合には、給紙トレイ２に年賀はがきＧが残存しているかを判断する前に、つまり、給紙トレイ２に年賀はがきＧが残存しているか否かに関わらず、当選はがきＴＧを排紙トレイに排紙した後で、年賀はがきＧの搬送を停止させる。
【００５４】
そのため、画像読取装置１の使用者は、複数枚の年賀はがきＧを連続して読み取る際に、年賀はがきＧの搬送が中断された場合には、これらの年賀はがきＧの中に当選はがきＴＧが有り、且つ、排紙トレイ４に最後に排紙された年賀はがきＧが当選はがきＴＧであることを理解することができる。そして、排紙トレイ４に最後に排紙された年賀はがきＧを排紙トレイ４から取り出すことで、複数枚の年賀はがきＧから当選はがきＴＧのみを取り出すことができ、当選はがきＴＧを振り分ける際の使用者の作業負担を軽減することができる。
【００５５】
（２）本実施形態の画像読取装置１では、当選はがきＴＧが排紙トレイ４に排紙される排紙位置が、当選していない年賀はがきＧが排紙トレイ４に排紙される排紙位置と異なる。そのため、使用者は、排紙トレイ４における排紙位置の違いから、当選はがきＴＧを容易に取り出すことができる。
【００５６】
（３）本実施形態の画像読取装置１では、当選はがきＴＧと、当選していない年賀はがきＧとで、排紙トレイ４に排紙される排紙位置を異ならせる際に、搬送ローラ２３の回転速度を変化させる。そのため、これらの年賀はがきＧの排紙位置を比較的簡単に異ならせることができる。
【００５７】
（４）本実施形態の画像読取装置１では、当選はがきＴＧが排紙トレイ４に排紙され、年賀はがきＧの搬送が中断された場合に、タッチパネル３０に給紙トレイ２から当選はがきＴＧを取り除く旨の表示を行う。そして、これに応じて使用者により当選はがきＴＧが取り除かれ、タッチパネル３０の継続ボタンが押されると、年賀はがきＧの搬送を再開する。これにより、複数枚の年賀はがきＧを連続して読み取る際に、年賀はがきＧの搬送が中断される場合でも、複数枚の年賀はがきＧの読み取りを完了させることができる。
【００５８】
（５）本実施形態の画像読取装置１では、搬送部２８は、年賀はがきＧを１枚づつ搬送し、一の年賀はがきＧを読み取った後に次の年賀はがきＧの搬送を開始する際には、一の年賀はがきＧが排紙トレイ４に排紙された後に、次の年賀はがきＧの搬送を開始する。そのため、複数の年賀はがきＧを所定のはがき間距離で連続して搬送される構成を有していない搬送部２８を有する画像読取装置１においても、複数枚の年賀はがきＧから当選はがきＴＧを振り分けることができる。
【００５９】
＜実施形態２＞
実施形態２を、図５から図７を用いて説明する。本実施形態では、画像読取装置１が２つの排紙トレイ４Ａ、４Ｂを有する点で、実施形態１の画像読取装置１と異なる。以下の説明では、実施形態１と同一の内容については重複した記載を省略する。
【００６０】
１．画像読取装置の機械的構成
図５に示すように、画像読取装置１は、使用者からの読取指示により給紙トレイ２に載置された複数の原稿シートＧを第１排紙トレイ４Ａと第２排紙トレイ４Ｂのいずれか一方の排紙トレイ４に搬送するとともに、搬送中の原稿シートＧを本体部３に含まれる読取部２４、２５を用いて読み取るシートフィードスキャナである。第１排紙トレイ４Ａは、第１排出トレイの一例であり、第２排紙トレイ４Ｂは、第２排出トレイの一例である。
【００６１】
本体部３には、給紙トレイ２と排紙トレイ４を接続する搬送経路２２が設けられており、この搬送経路２２の周辺に、給紙ローラ２０と、分離パッド２１と、搬送ローラ２３と、読取部２４、２５と、Ｆセンサ２６と、Ｒセンサ２７を備える。また、本体部３には、この他に、吸入ローラ５０と、吸入パッド５１と、切替板５２と、排紙センサ５３（図２点線参照）と、トレイ板５４を備える。切替板５２は、排出トレイ切替部の一例である。
【００６２】
吸入ローラ５０及び吸入パッド５１は、給紙トレイ２に設けられており、給紙ローラ２０及び分離パッド２１が給紙トレイ２に載置された原稿シートＧを搬送経路２２へと送り出すのを補助する。吸入ローラ５０及び吸入パッド５１は、搬送部２８の一部である。
【００６３】
切替板５２は、切替モータＭ２（図２点線参照）により駆動され、その姿勢が、第１排紙トレイ４Ａへと続くＵターンパス（以下、Ｕパス）２２Ａに沿った第１姿勢（図５の実線参照）と、排紙トレイ４Ｂへと続くストレートパス（以下、Ｓパス）２２Ｂに沿った第２姿勢（図５の破線参照）とに切り替わる。切替板５２は、その姿勢が第１姿勢と第２姿勢で切り替わることで、搬送部２８によって搬送される原稿シートＧをいずれの排紙トレイ４Ａ、４Ｂに排紙するかを切り替える。
【００６４】
第１排紙トレイ４Ａは、本体部３上部の外側ケースによって構成されている。また、第２排紙トレイ４Ｂは、本体部３の外側ケースの一部をなすトレイ板５４によって構成される。トレイ板５４は、本体部３に対して回動可能に構成されており、本体部３の開口７を覆う閉状態（図５の実線参照）から、開口７を開放する開状態（図５の破線参照）に回動することで、排紙トレイ４Ｂを構成する。排紙センサ５３は、本体部３の開口７近傍に配置され、トレイ板５４が閉状態の場合にオンし、トレイ板５４が開状態の場合にオフする。
【００６５】
２．画像読取処理
次に、図６、７を参照して、本実施形態の画像読取処理について説明する。本実施形態では、原稿シートＧとして、年賀はがきを含む郵便はがきＧの複数枚を搬送しながら読み取る場合について説明する。本実施形態の画像読取処理では、複数枚の郵便はがきＧを連続して読み取り、これらの郵便はがきＧの読取画像データを取得するとともに、取得された読取画像データから、特定の受取人宛ての郵便はがきＧが有るか否かを判断する処理を併せて行う。ＣＰＵ３１は、タッチパネル３０を介して使用者から読取指示が入力されると、処理を開始する。
【００６６】
ＣＰＵ３１は、処理を開始すると、まず、Ｆセンサ２６を用いて給紙トレイ２に郵便はがきＧが載置されているか否かを判断する（Ｓ５２）。ＣＰＵ３１は、Ｆセンサ２６の状態を確認し、Ｆセンサ２６がオフしている場合（Ｓ５２：ＮＯ）、タッチパネル３０を用いて、郵便はがきＧがないので受取人による振り分けができなかった旨の表示を行い（Ｓ５４）、画像読取処理を終了する。
【００６７】
一方、Ｆセンサ２６がオンしており、給紙トレイ２に郵便はがきＧが載置されていることが確認されると（Ｓ５２：ＹＥＳ）、ＣＰＵ３１は、排紙センサ５３の状態を確認し、第２排紙トレイ４Ｂに排紙可能か否かを判断する（Ｓ５６）。ＣＰＵ３１は、排紙センサ５３がオンしている場合（Ｓ５６：ＮＯ）、第２排紙トレイ４Ｂに排紙できないことから、タッチパネル３０を用いて、トレイ板５４を開状態にして、再度、読取指示を入力する旨の表示を行い（Ｓ５８）、画像読取処理を終了する。
【００６８】
その一方、排紙センサ５３がオフしている場合（Ｓ５６：ＹＥＳ）、第２排紙トレイ４Ｂに排紙可能であることから、ＣＰＵ３１は、タッチパネル３０を用いて、振り分けを望む特定の受取人氏名を入力する旨、及び、特定受取人氏名を入力した時は継続ボタンを押す旨の表示を行う（Ｓ６０）。特定受取人氏名は、受取人情報の一例である。
【００６９】
ＣＰＵ３１は、使用者によってタッチパネル３０の継続ボタンが押されるのを待機する（Ｓ６２：ＮＯ）。そして、使用者によって継続ボタンが押されると（Ｓ６２：ＹＥＳ）、ＣＰＵ３１は、入力された特定受取人氏名をＲＡＭ３４に記憶し、搬送部２８に対して年賀はがきＧの搬送を指示する（Ｓ１０）。ＣＰＵ３１は、切替板５２の姿勢を初期化し、原稿シートＧがＵパス２２Ａを介して第１排紙トレイ４Ａに排紙されるように、搬送部２８に対して、切替板５２を第１姿勢に切り替えさせる（Ｓ６４）。
【００７０】
次に、ＣＰＵ３１は、搬送部２８に対して、給紙トレイ２に載置されている郵便はがきＧを１枚搬送させる（Ｓ１２）。なお、本実施形態のＳ１２からＳ２２までの処理は、実施形態１のＳ１０からＳ２２までの処理と同一であり、重複した説明を省略する。ＣＰＵ３１は、変換されたテキストデータから受取人氏名を抽出し、抽出した受取人氏名と、ＲＡＭ３４に記憶された特定受取人氏名とを比較する（Ｓ６６）。抽出した受取人氏名は、読取結果の一部の別例である。
【００７１】
ＣＰＵ３１は、抽出した受取人氏名と特定受取人氏名とが一致しない場合（Ｓ６８：ＮＯ）、切替板５２を第１姿勢に維持し、搬送部２８に対して、特定受取人宛てではない郵便はがきＧ（以下、単に郵便はがきＧ）を第１排紙トレイ４Ａに排紙させる（Ｓ７０）。ＣＰＵ３１は、Ｆセンサ２６を用いて給紙トレイ２に郵便はがきＧが残存しているかを判断する（Ｓ７２）。そして、給紙トレイ２に郵便はがきＧが残存している場合（Ｓ７２：ＹＥＳ）、Ｓ６４からの処理を繰り返す。
【００７２】
その一方、ＣＰＵ３１は、給紙トレイ２に年賀はがきＧが残存してない場合（Ｓ７２：ＮＯ）、搬送部２８に対して郵便はがきＧの搬送停止を指示する（Ｓ７４）。ＣＰＵ３１は、タッチパネル３０を用いて、受取人の判定が終了した旨の表示を行い（Ｓ７６）、画像読取処理を終了する。
【００７３】
また、ＣＰＵ３１は、抽出した受取人氏名と特定受取人氏名とが一致する場合（Ｓ６８：ＹＥＳ）、搬送部２８に対して、切替板５２を第２姿勢に切り替えさせる（Ｓ７８）。そして、ＣＰＵ３１は、搬送部２８に対して、特定受取人宛ての郵便はがきＧをＳパス２２Ｂを介して第２排紙トレイ４Ｂに排紙させ（Ｓ８０）、Ｓ６４からの処理を繰り返す。
【００７４】
３．本実施形態の効果
本実施形態の画像読取装置１では、郵便はがきＧを読み取って取得された読取画像データから受取人氏名を抽出し、抽出した受取人氏名と、ＲＡＭ３４に記憶された特定受取人氏名とを比較する。そして、抽出した受取人氏名と特定受取人氏名とが一致しない郵便はがきＧであると判断された場合には、当該郵便はがきＧを第１排紙トレイ４Ａに排紙させ、抽出した受取人氏名と特定受取人氏名とが一致する特定受取人宛て郵便はがきＧであると判断された場合には、当該郵便はがきＧを第２排紙トレイ４Ｂに排紙させる。
【００７５】
そのため、画像読取装置１の使用者は、複数枚の郵便はがきＧを連続して読み取る際に、郵便はがきＧが第２排紙トレイ４Ｂに排紙された場合には、これらの郵便はがきＧの中に特定受取人宛て郵便はがきＧが有り、且つ、第２排紙トレイ４Ｂに排紙された郵便はがきＧが特定受取人宛て郵便はがきＧであることを理解することができる。そして、第２排紙トレイ４Ｂに排紙された郵便はがきＧを取り出すことで、複数枚の郵便はがきＧから特定受取人宛ての郵便はがきＧを振り分けることができ、特定受取人宛て郵便はがきＧを振り分ける際の使用者の作業負担を軽減することができる。
【００７６】
＜他の実施形態＞
本発明は上記記述及び図面によって説明した実施形態に限定されるものではなく、例えば次のような種々の態様も本発明の技術的範囲に含まれる。
（１）上記実施形態では、画像読取装置１を用いて説明を行ったが、本発明はこれに限られず、少なくともスキャナ機能を備えていれば、プリンタ機能やコピー機能、ファクシミリ機能等の他の機能を備えた複合機に適用されても良い。
【００７７】
（２）上記実施形態では、画像読取装置１がＣＰＵ３１を有するＡＳＩＣ２９を備え、このＣＰＵ３１が必要に応じてＡＳＩＣ２９内のハード回路を用いて画像読取処理等の各種処理を実行する制御部が構成される例を用いて説明を行ったが、本発明はこれに限られない。例えば、ＣＰＵがＡＳＩＣとは別体として存在し、このＣＰＵにより制御部が実行する処理が実行されてもよければ、ＡＳＩＣ内にＣＰＵが存在せず、ＡＳＩＣに設けられたハード回路により制御部が実行する処理が実行されてもよい。さらには、単数又は複数のＣＰＵ及びＡＳＩＣによって、制御部が実行する処理を実行していてもよい。
【００７８】
（３）また、ＣＰＵ３１が実行するプログラムは必ずしもＲＯＭ３３に記憶されている必要はなく、ＣＰＵ３１自身に記憶されていてもよければ、他の記憶装置に記憶されていても良い。
【００７９】
（４）上記実施形態では、読取部２４、２５が取得した読取画像データに対してＯＣＲ変換処理を行い、変換されたテキストデータの一部とＲＡＭ３４に記憶されたテキストデータとを比較する例を用いて説明を行ったが、本発明はこれに限られない。読取画像データの一部とＲＡＭ３４に記憶された特定の画像データとを比較、いわゆる画像マッチングさせてもよい。通常、画像マッチングでは、原稿シートＧの紙質や日焼けなどの原稿シートＧの状態の影響を抑制するため、読取画像データの一部に２値化処理やエンハンス処理等のエッジ検出処理を行った上で、画像データ同士が一致するか否かが確認される。しかし、エッジ検出処理は必ずしも必要ではない。
【００８０】
（４）上記実施形態１では、搬送部２８が、年賀はがきＧを１枚づつ搬送し、一の年賀はがきＧを読み取った後に次の年賀はがきＧの搬送を開始する際には、一の年賀はがきＧが排紙トレイ４に排紙された後に、次の年賀はがきＧの搬送を開始する例を用いて説明を行ったが、本発明はこれに限られない。例えは、一の年賀はがきＧについて、抽選番号と当選番号とが一致するか否かが判断された際に、次の年賀はがきＧの搬送を開始しても良い。これにより、一の年賀はがきＧが排紙トレイ４に排紙された後に次の年賀はがきＧの搬送を開始する場合に比べて、搬送に必要な時間を短縮することができる。
【００８１】
（５）更には、搬送部２８が、年賀はがきＧを所定のはがき間距離で連続して搬送する構成を有していても良い。例えば、搬送部２８を構成する給紙ローラ２０及び搬送ローラ２３の搬送速度の差を利用してはがき間距離を設定する、いわゆるワンウェイクラッチ機構を有していてもよい。これにより、搬送に必要な時間を更に短縮することができる。
【００８２】
（６）上記実施形態１では、当選はがきＧを排紙トレイ４に排紙する特定排出位置Ｌ５を、規定排出位置Ｌ４に比べて本体部３側にする例を用いて説明を行ったが、本発明はこれに限られない。例えば、特定排出位置Ｌ５を規定排出位置Ｌ４に比べて本体部３から遠い側に設定しても良い。更には、当選はがきＧと当選はがきＧ以外の年賀はがきＧとで、排紙トレイ４に排紙する排出位置を変えなくても良い。この場合でも、排紙トレイ４に排紙された順番から、当選はがきＴＧを振り分けることができる。
【００８３】
（７）上記実施形態１では、原稿シートＧとして、年賀はがきＧや郵便はがきＧを用いて説明を行ったが、本発明はこれに限られない。例えば、原稿シートＧは、宝くじであってもよく、その場合、ＲＡＭ３４には、宝くじの当選番号データが記憶される。また、原稿シートＧは、紙幣であってもよく、その場合、ＲＡＭ３４には、特定の紙幣番号が記憶される。
【符号の説明】
【００８４】
４：排紙トレイ、４Ａ：第１排紙トレイ、４Ｂ：第２排紙トレイ、２２：搬送経路、２２Ａ：Ｕパス、２２Ｂ：Ｓパス、２６：Ｆセンサ、２７：Ｒセンサ、２８：搬送部、５２：切替板、５４：トレイ板、Ｄ１：搬送方向、Ｇ：原稿シート、Ｌ１：第１読取位置、Ｌ２：第２読取位置、Ｌ３：検出位置、Ｌ４：規定排出位置、Ｌ５：特定排出位置
【図１Ａ】
2015050567.tif 000003
【図１Ｂ】
2015050567.tif 000004
【図２】
2015050567.tif 000005
【図３】
2015050567.tif 000006
【図４】
2015050567.tif 000007
【図５】
2015050567.tif 000008
【図６】
2015050567.tif 000009
【図７】
2015050567.tif 000010